(57)【要約】【課題】携帯可能な電子製品の充電電池の電力が切れた場合には、懐中電灯における充放電可能な電池により、電子製品の充電電池を充電し、又は電子製品に直接に電力を供給することができる。【解決手段】懐中電灯と、懐中電灯内に組み付けられ充放電可能な電池と、充電装置と、を含む充放電可能な懐中電灯において、懐中電灯は、内部には、電池を収容する電池収容槽が設けられ、電池収容槽の内面には、係り溝が設けられ、電池収容槽の外面の端部には、階段付き縁が形成され、電池は、その内部には、コンセントが設けられ、その外面には、コンセントの開口に応じてコンセント穴が設けられ、電池の外面には、電池収容槽の内面に設けられた係り溝に応じて係りリブが設けられ、充電装置には、懐中電灯内に入れられた電池のコンセントと電気的に連接する入力端子が設けられ、充電装置の他端には、出力端子が設けられる。【選択図】図１
2011065814.tif 000002
【特許請求の範囲】
【請求項１】
懐中電灯と、前記懐中電灯内に組み付けられ充放電可能な電池と、充電装置と、を含む充放電可能な懐中電灯において、
前記懐中電灯は、内部には、前記電池を収容する電池収容槽が設けられ、前記電池収容槽の内面には、係り溝が設けられ、前記電池収容槽の外面の端部には、階段付き縁が形成され、前記懐中電灯の側面には、貫通孔が設けられ、
前記電池は、その内部には、コンセントが設けられ、その外面には、前記コンセントの開口に応じてコンセント穴が設けられ、前記電池の外面には、前記電池収容槽の内面に設けられた係り溝に応じて係りリブが設けられ、前記係りリブの外端には、前記電池収容槽に設けられた前記階段付き縁に応じて止め凸縁が形成され、これにより、前記電池収容槽に前記電池を入れると、前記係りリブと、前記電池収容槽の内面に設けられた前記係り溝とが相互に係止して定位し、前記電池収容槽の外面に設けられた前記階段付き縁に対応する前記止め凸縁の規制により、前記電池は所定方向だけ前記電池収容槽に入れることができ、組付の極性の間違いによる電池の損壊を回避することができ、且つ前記懐中電灯の側面に設けられた前記貫通孔に、前記電池の前記コンセント穴を確実に合せることができ、
前記充電装置には、前記懐中電灯内に入れられた前記電池の前記コンセントと電気的に連接する入力端子が設けられ、前記充電装置内には、電圧上昇ユニットが設けられ、そして前記充電装置の他端には、出力端子が設けられることを特徴とする充放電可能な懐中電灯。
【請求項２】
前記充電装置の前記出力端子には、連接対象である電子製品の仕様に対応する変換端子が脱着自在に設けられることを特徴とする、請求項１に記載の充放電可能な懐中電灯。
【請求項３】
前記充電装置の前記入力端子は、前記電圧上昇ユニットと電気的に連接し、前記電圧上昇ユニットのケースの外面には、前記電池の形状に応じて凹み部が形成され、これにより、前記電池収容槽から前記電池を取り出した後、前記入力端子を前記電池の前記コンセント穴に挿通して前記コンセントに挿入することができ、このとき、前記電圧上昇ユニットの前記ケースの外面に設けられた前記凹み部が前記電池に対応することを特徴とする、請求項１に記載の充放電可能な懐中電灯。
【発明の詳細な説明】
【技術分野】
【０００１】
本発明は、充放電可能な懐中電灯に関し、特に、携帯可能な電子製品の充電電池の電力が切れた場合には、懐中電灯における充放電可能な電池により、電子製品の充電電池を充電し、又は電子製品に直接に電力を供給することができる充放電可能な懐中電灯に関するものである。
【背景技術】
【０００２】
科学技術の進展により、国民の生活水準を向上するためのものがどんどん開発され、例えば電子製品の種類がどんどん多くなる。このような電子製品は、充電可能な電池を電源とするので、携帯性が極めて良い。
【０００３】
しかしながら、充電可能な電池によれば、電力が切れた場合には、電池を再充電して利用することができるが、室外で都市電気を供給するコンセントが少ない。これにより、電力が切れたときに、電池を即時に再充電することができないので、電子製品の利便性が規制される。
【発明の概要】
【発明が解決しようとする課題】
【０００４】
本発明の主な目的は、携帯可能な電子製品の充電電池の電力が切れた場合には、懐中電灯における充放電可能な電池により、電子製品の充電電池を充電し、又は電子製品に直接に電力を供給することができる充放電可能な懐中電灯を提供することにある。
【課題を解決するための手段】
【０００５】
本発明の請求項１に記載の充放電可能な懐中電灯によると、懐中電灯と、懐中電灯内に組み付けられ充放電可能な電池と、充電装置と、を含む充放電可能な懐中電灯において、
懐中電灯は、内部には、電池を収容する電池収容槽が設けられ、電池収容槽の内面には、係り溝が設けられ、電池収容槽の外面の端部には、階段付き縁が形成され、懐中電灯の側面には、貫通孔が設けられ、
電池は、その内部には、コンセントが設けられ、その外面には、コンセントの開口に応じてコンセント穴が設けられ、電池の外面には、電池収容槽の内面に設けられた係り溝に応じて係りリブが設けられ、係りリブの外端には、電池収容槽に設けられた階段付き縁に応じて止め凸縁が形成され、これにより、電池収容槽に電池を入れると、係りリブと、電池収容槽の内面に設けられた係り溝とが相互に係止して定位し、電池収容槽の外面に設けられた階段付き縁に対応する止め凸縁の規制により、電池は所定方向だけ電池収容槽に入れることができ、組付の極性の間違いによる電池の損壊を回避することができ、且つ懐中電灯の側面に設けられた貫通孔に、電池の前記コンセント穴を確実に合せることができ、
充電装置には、懐中電灯内に入れられた電池のコンセントと電気的に連接する入力端子が設けられ、充電装置内には、電圧上昇ユニットが設けられ、そして充電装置の他端には、出力端子が設けられることを特徴とする充放電可能な懐中電灯である。
【０００６】
本発明の請求項２に記載の充放電可能な懐中電灯によると、充電装置の出力端子には、連接対象である電子製品の仕様に対応する変換端子が脱着自在に設けられる。
【０００７】
本発明の請求項３に記載の充放電可能な懐中電灯によると、充電装置の入力端子は、電圧上昇ユニットと電気的に連接し、電圧上昇ユニットのケースの外面には、電池の形状に応じて凹み部が形成され、これにより、電池収容槽から電池を取り出した後、入力端子を電池のコンセント穴に挿通してコンセントに挿入することができ、このとき、電圧上昇ユニットのケースの外面に設けられた凹み部が電池に対応する。
【発明の効果】
【０００８】
本発明の充放電可能な懐中電灯によれば、次のような効果がある。
（１）本発明の懐中電灯の内部に設けられる電池が充電されていると、前記電池の電力により、懐中電灯を点灯することができる。
【０００９】
（２）本発明の懐中電灯の内部に設けられ充電可能な電池には、コンセントが設けられ、コンセントと電気的に連接する充電装置は、その電圧上昇ユニットにより電圧を上昇して、適正な変換端子を介して各種類の電子製品を充電することができる。
【００１０】
（３）本発明の懐中電灯は、携帯性が極めて良くて周囲を照明することができ、そしてユーザの携帯している電子製品の電力が切れたと、本発明の懐中電灯における充放電可能な電池により、電子製品を充電して使用することができるので、本発明の懐中電灯の機能が多い。
【図面の簡単な説明】
【００１１】
【図１】本発明の充電装置の構造を示す斜視図である。
【図２】本発明の懐中電灯の分解斜視図である。
【図３】本発明の充放電可能な電池の分解斜視図である。
【図４】本発明の電圧上昇ユニットの回路図である。
【図５】本発明の第１実施形態の充電装置の使用状態を示す模式図である。
【図６】本発明の第２実施形態の充電装置の使用状態を示す模式図である。
【図７】本発明の第３実施形態の充電装置の分解斜視図である。
【図８】本発明の第３実施形態の充電装置の使用状態を示す底面図である。
【発明を実施するための形態】
【００１２】
以下、本発明の実施の形態を図面に基づいて説明する。
まず、図１を参照する。本発明の充放電可能な懐中電灯は、懐中電灯１と、前記懐中電灯１の内部に組み付けられ充放電可能な電池２と、充電装置３と、を含む。
【００１３】
前記懐中電灯１は、図２に示すように、内部には、前記電池２を収容する電池収容槽１１が設けられ、前記電池収容槽１１の内面には、係り溝１１１が設けられ、前記電池収容槽１１の外面の端部には、前記係り溝１１１に対応する階段付き縁１１２が形成され、前記懐中電灯１の側面には、貫通孔１２が設けられ、前記懐中電灯１の前記電池収容槽１１に前記電池２を入れたと、蓋１３により前記電池収容槽１１をカバーすることができる。
【００１４】
前記電池２には、図３に示すように、対称する左右蓋２１、２１が設けられ、仕切リブ２１１により前記左右蓋２１、２１の内部が電池収容槽２１２とコンセント収容槽２１３とに仕切られ、前記電池収容槽２１２には、蓄電装置２２を設けることができ、充電電量の必要により、前記蓄電装置２２は、一つのセルでもいいし、複数のセルを直列接続して構成されてもよい。充放電保護回路板２２１は、前記蓄電装置２２の正負極と、コンセント２３とに電気的に連接され、そして左右蓋２１、２１の電池収容槽２１２により囲まれる空間に、ワッシャ２２２と蓄電装置２２とパッキン２２３とスポンジワッシャ２２４と充放電保護回路板２２１と正電極板２２５とを入れて、左右蓋２１、２１のコンセント収容槽２１３により囲まれる空間に、コンセント２３と正電極２２６と電極台２２７と貼付ブロック２２８と負電極台２２９と負電極２２０とを入れ、このとき、前記負電極２２０が前記負電極台２２９に固定され、前記正電極２２６が前記電極台２２７に固定され、前記負電極台２２９と前記電極台２２７との間には、貼付ブロック２２８が設けられ、前記貼付ブロック２２８により前記負電極台２２９と前記電極台２２７とが結合され、前記コンセント２３の開口が前記左右蓋２１、２１のコンセント穴２１４に合せられ、前記左右蓋２１、２１の前記仕切リブ２１１の間にある隙間に、前記コンセント２３と前記蓄電装置２２と前記充放電保護回路板２２１とに電気的に連接するケーブルを挿通することができる。スペースを節約するために、前記ケーブルがストリップ形状を呈する。前記電池収容槽２１２と前記コンセント収容槽２１３とに上記の部品を入れたときに、超音波溶接機により左右蓋２１、２１を溶接し、前記正電極板２２５が前記左右蓋２１、２１の右端にある穴から外部に露出し、前記負電極板２２０が前記左右蓋２１、２１の左端にある穴から外部に露出する。前記左右蓋２１、２１の外面には、前記電池収容槽１１の内面に設けられた係り溝１１１に応じて係りリブ２１５が設けられ、前記係りリブ２１５の外端には、前記電池収容槽１１に設けられた前記階段付き縁１１２に応じて止め凸縁２１６が形成され、これにより、前記電池収容槽１１に前記電池２を入れると、前記係りリブ２１５と、前記電池収容槽１１の内面に設けられた前記係り溝１１１とが相互に係止して定位し、前記電池収容槽１１の外面に設けられた前記階段付き縁１１２に対応する前記止め凸縁２１６の規制により、前記電池２は所定方向だけ前記電池収容槽１１に入れることができ、組付の極性の間違いによる電池２の損壊を回避することができ、前記電池２が前記電池収容槽１１に対して回動不能になり、且つ前記懐中電灯１の側面に設けられた前記貫通孔１２に、前記電池２の前記コンセント穴２１４を確実に合せることができる。
【００１５】
前記充電装置３には、前記懐中電灯１内に入れられた前記電池２の前記コンセント２３と電気的に連接する入力端子３１が設けられ、前記充電装置３内には、図４に示す回路を有する電圧上昇ユニット３２が設けられ、そして前記充電装置３の他端には、出力端子３３が設けられる。
【００１６】
このように、都市電気により前記懐中電灯１内に組み付けられた電池２を充電した後、前記電池２は前記懐中電灯１に電力を供給することができ、且つ前記電池２の前記コンセント２３に前記充電装置３の入力端子３１を挿入して、充電対象とする電子製品に前記充電装置３の出力端子３３を挿入し、これにより、前記電圧上昇ユニット３２により前記電池２の電圧が上昇されて前記電子製品を充電することができる。
【００１７】
次に、図５及び図６を参照する。図５は本発明の第１実施形態の充電装置の使用状態を示す模式図であり、図６は本発明の第２実施形態の充電装置の使用状態を示す模式図である。前記充電装置３の他端にある前記出力端子３３には、電子製品の仕様によって適正な変換端子３３１を脱着可能に設けてもよい。そうすると、前記充電装置３の他端にある前記出力端子３３は、前記変換端子３３１を介して各種類の電子製品を充電することができる。
【００１８】
また、図７及び図８を参照する。図７は本発明の第３実施形態の充電装置の分解斜視図であり、図８は本発明の第３実施形態の充電装置の使用状態を示す底面図である。前記充電装置３は、前記入力端子３１と前記電圧上昇ユニット３２とを一体に電気的に連接してもよく、前記電圧上昇ユニット３２のケースの外面には、前記電池２の形状に応じて凹み部３２１が形成され、これにより、前記電池収容槽１１から前記電池２を取り出した後、前記入力端子３１を前記電池２の前記コンセント穴２１４に挿通して前記コンセント２３に挿入することができ、このとき、前記電圧上昇ユニット３２の前記ケースの外面に設けられた前記凹み部３２１が前記電池２に対応する。そうすると、充電対象とする電子製品に前記充電装置３の他端にある前記出力端子３３を挿入して、前記電圧上昇ユニット３２により前記電池２の電圧が上昇されて前記電子製品を充電することができる。
【符号の説明】
【００１９】
１：懐中電灯、２：電池、３：充電装置、１１：電池収容槽、１２：貫通孔、１３：蓋、２１：蓋、２２：蓄電装置、２３：コンセント、３１：入力端子、３２：電圧上昇ユニット、３３：出力端子、１１１：係り溝、１１２：階段付き縁、２１１：仕切リブ、２１２：電池収容槽、２１３：コンセント収容槽、２１４：コンセント穴、２１５：係りリブ、２１６：止め凸縁、２２０：負電極、２２１：充放電保護回路板、２２２：ワッシャ、２２３：パッキン、２２４：スポンジワッシャ、２２５：正電極板、２２６：正電極、２２７：電極台、２２８：貼付ブロック、２２９：負電極台、３２１：凹み部、３３１：変換端子。
【図１】
2011065814.tif 000003
【図２】
2011065814.tif 000004
【図３】
2011065814.tif 000005
【図４】
2011065814.tif 000006
【図５】
2011065814.tif 000007
【図６】
2011065814.tif 000008
【図７】
2011065814.tif 000009
【図８】
2011065814.tif 000010